(57)【要約】【課題】ユーザに煩雑な操作を行わせることなく、表示装置の画質を調整できるようにする。【解決手段】まず、電子ペーパ装置１０は、スキャナ装置２０の原稿台に載せられる。電子ペーパ装置１０の表示領域を含む画像は、スキャナ装置２０により読み取られ、画像を表す画像データが電子ペーパ装置１０へ送られる。電子ペーパ装置１０は、スキャナ装置２０から送られた画像データが表す画像から画像中における表示装置の表示領域の位置を特定する。また、電子ペーパ装置１０は、画像データが表す画像中において、電子ペーパ装置１０の表示領域の画質を解析する。電子ペーパ装置１０は、この解析結果に応じて、画像を表示する時の画質を制御する。【選択図】図１
2008304666.tif 000002
【特許請求の範囲】
【請求項１】
画像の読み取りを指示する読取指示を外部から受け取り、読取位置にある物体の像を該
読取指示に応じて読み取る読取手段と、
前記読取手段が読み取った像の画像データを生成して出力する画像データ出力手段と
を有する画像読取装置と、
画像の画質を制御する調整値に従って画像を表示する表示手段と、
前記読取指示を出力する読取指示出力手段と、
前記画像データ出力手段から出力された画像データを受け取る画像データ受取手段と、
前記画像データ受取手段が受け取った画像データが表す画像から、該画像中における前
記表示手段の表示領域位置を特定する表示領域特定手段と、
前記画像データ受取手段が受け取った画像データが表す画像において前記表示領域特定
手段で特定された表示領域位置にある画像の画質を解析する画質解析手段と、
前記画質解析手段の解析結果に応じて前記調整値を設定する調整手段と
を有する端末装置と、
を有する画質調整システム。
【請求項２】
画像の読み取りを指示する読取指示を外部から受け取り、読取位置にある物体の像を該
読取指示に応じて読み取る読取手段と、
前記読取手段が読み取った像の画像データを生成して出力する画像データ出力手段と
を有する画像読取装置と、
画質を制御する調整値に従って画像を表示する表示手段と、
前記調整値を外部から受け取る調整値受取手段と、
画像の表示を指示する表示指示を外部から受け取り、前記表示指示に応じて前記表示手
段に画像を表示させる制御手段と
を有する表示装置と、
前記表示指示を前記表示装置へ出力する表示指示出力手段と、
前記読取指示を前記画像読取装置へ出力する読取指示出力手段と、
前記画像データ出力手段から出力された画像データを受け取る画像データ受取手段と、
前記画像データ受取手段が受け取った画像データが表す画像から、該画像中における前
記表示手段の表示領域位置を特定する表示領域特定手段と、
前記画像データ受取手段が受け取った画像データが表す画像において前記表示領域特定
手段で特定された表示領域位置にある画像の画質を解析する画質解析手段と、
前記画質解析手段の解析結果に応じて前記調整値を設定する調整手段と、
前記調整手段で設定された調整値を前記表示装置へ出力する調整値出力手段と、
を有する端末装置と
を有する画質調整システム。
【請求項３】
前記画質解析手段は、
前記表示領域特定手段で特定された表示領域位置にある画像を複数領域に分割して各領
域の画質を解析し、
前記調整手段は、解析された各領域の画質に応じて、前記表示手段において前記複数領
域に対応する各表示領域の画質の調整値を設定すること
を特徴とする請求項１または請求項２に記載の画質調整システム。
【請求項４】
前記画像読取装置は、当該画像読取装置の装置情報を出力する装置情報出力手段を有し
、
前記端末装置は、
前記装置情報を受け取る装置情報受取手段を有し、
前記装置情報受取手段で受け取った装置情報に基づいて前記調整手段による設定を禁止
すること
を特徴とする請求項１または請求項２に記載に画質調整システム。
【請求項５】
前記表示手段を備える装置を一意に識別する識別子と、前記画像データを受け取る画像
データ受取手段と、
前記画像データ受取手段が受け取った識別子と画像データを記憶する画像データ記憶手
段と
を備えたサーバ装置を有し、
前記端末装置は、
前記識別子と、前記受取手段が受け取った画像データとを前記サーバ装置へ出力する情
報出力手段
を有することを特徴とする請求項１または請求項２に記載の画質調整システム。
【発明の詳細な説明】
【技術分野】
【０００１】
本発明は、表示装置の画質を調整する技術に関する。
【背景技術】
【０００２】
表示装置で表示される画像の画質を調整するシステムとして、例えば、特許文献１に開
示されているシステムがある。このシステムにおいては、画像を読み取るセンサが表示装
置に接続される。そして、表示装置において画質調整用の画像を表示し、表示された調整
用の画像に対してユーザがセンサを接触させる。すると、表示された画像がセンサで読み
取られ、表示装置で表示される画像の画質がセンサで読み取られた画像に基づいて制御さ
れる。
【０００３】
【特許文献１】特開２００５−２５２５８４号公報
【発明の開示】
【発明が解決しようとする課題】
【０００４】
特許文献１に開示されているシステムによれば、画像を読み取るセンサがあれば、保守
要員を呼んで表示装置の調整を行ったり、表示装置を製造元に送って調整してもらうこと
なく、ユーザが自身で画質の調整を行うことができる。しかしながら、このシステムにお
いては、ユーザが自身で調整を行う際には、ユーザがセンサを手に持って画像に接触させ
る手間が必要となる。また、例えば、コントラストを調整する際には、複数の領域にセン
サを複数回接触させて画質を調整する必要があり、ユーザが自信でセンサを操作して所望
の画質を得るためには煩雑な操作を行うこととなる。
【０００５】
本発明は、上述した背景の下になされたものであり、その目的は、ユーザに煩雑な操作
を行わせることなく、表示装置の画質を調整できるようにすることにある。
【課題を解決するための手段】
【０００６】
上述した課題を解決するために本発明は、画像の読み取りを指示する読取指示を外部か
ら受け取り、読取位置にある物体の像を該読取指示に応じて読み取る読取手段と、前記読
取手段が読み取った像の画像データを生成して出力する画像データ出力手段とを有する画
像読取装置と、画像の画質を制御する調整値に従って画像を表示する表示手段と、前記読
取指示を出力する読取指示出力手段と、前記画像データ出力手段から出力された画像デー
タを受け取る画像データ受取手段と、前記画像データ受取手段が受け取った画像データが
表す画像から、該画像中における前記表示手段の表示領域位置を特定する表示領域特定手
段と、前記画像データ受取手段が受け取った画像データが表す画像において前記表示領域
特定手段で特定された表示領域位置にある画像の画質を解析する画質解析手段と、前記画
質解析手段の解析結果に応じて前記調整値を設定する調整手段とを有する端末装置と、を
有する画質調整システムを提供する。
【０００７】
また、本発明は、画像の読み取りを指示する読取指示を外部から受け取り、読取位置に
ある物体の像を該読取指示に応じて読み取る読取手段と、前記読取手段が読み取った像の
画像データを生成して出力する画像データ出力手段とを有する画像読取装置と、画質を制
御する調整値に従って画像を表示する表示手段と、前記調整値を外部から受け取る調整値
受取手段と、画像の表示を指示する表示指示を外部から受け取り、前記表示指示に応じて
前記表示手段に画像を表示させる制御手段とを有する表示装置と、前記表示指示を前記表
示装置へ出力する表示指示出力手段と、前記読取指示を前記画像読取装置へ出力する読取
指示出力手段と前記画像データ出力手段から出力された画像データを受け取る画像データ
受取手段と、前記画像データ受取手段が受け取った画像データが表す画像から、該画像中
における前記表示手段の表示領域位置を特定する表示領域特定手段と、前記画像データ受
取手段が受け取った画像データが表す画像において前記表示領域特定手段で特定された表
示領域位置にある画像の画質を解析する画質解析手段と、前記画質解析手段の解析結果に
応じて前記調整値を設定する調整手段と、前記調整手段で設定された調整値を前記表示装
置へ出力する調整値出力手段と、を有する端末装置とを有する画質調整システムを提供す
る。
【０００８】
本発明においては、前記画質解析手段は、前記表示領域特定手段で特定された表示領域
位置にある画像を複数領域に分割して各領域の画質を解析し、前記調整手段は、解析され
た各領域の画質に応じて、前記表示手段において前記複数領域に対応する各表示領域の画
質の調整値を設定してもよい。
【０００９】
また、本発明においては、前記画像読取装置は、当該画像読取装置の装置情報を出力す
る装置情報出力手段を有し、前記端末装置は、前記装置情報を受け取る装置情報受取手段
を有し、前記装置情報受取手段で受け取った装置情報に基づいて前記調整手段による設定
を禁止してもよい。
【００１０】
また、本発明においては、前記表示手段を備える装置を一意に識別する識別子と、前記
画像データを受け取る画像データ受取手段と、前記画像データ受取手段が受け取った識別
子と画像データを記憶する画像データ記憶手段とを備えたサーバ装置を有し、前記端末装
置は、前記識別子と、前記受取手段が受け取った画像データとを前記サーバ装置へ出力す
る情報出力手段を有していてもよい。
【発明を実施するための最良の形態】
【００１１】
［第１実施形態］
（全体構成）
図１は、本発明の一実施形態に係る装置を示した図である。まず、各装置の大略を説明
すると、電子ペーパ装置１０（端末装置）は、文書や電子書籍などのコンテンツの画像を
表示する携帯可能な表示装置であり、マイクロカプセルを用いた電気泳動方式で画像表示
を行う。スキャナ装置２０は、フラットベッド型のスキャナ装置であり、原稿台にある画
像を読み取り、読み取った画像を表す画像データを生成する。電子ペーパ装置１０とスキ
ャナ装置２０は、接続ケーブル３０で接続することが可能となっており、接続ケーブル３
０を介して互いに各種メッセージやデータの授受を行う。
【００１２】
（電子ペーパ装置１０の構成）
図２は、電子ペーパ装置１０のハードウェア構成を示したブロック図である。同図に示
したように、電子ペーパ装置１０は、制御部１１、表示体１２、操作部１３、通信部１４
を有している。
【００１３】
操作部１３は、制御部１１に接続されており、電子ペーパ装置１０を操作するための各
種ボタンを有している。操作部１３のボタンが操作されると、操作されたボタンを表す信
号が制御部１１へ出力される。制御部１１は、この信号と表示体１２に表示した画像とに
基づいてユーザからの指示を特定し、特定した指示に応じて各部を制御する。
制御部１１に接続されている通信部１４は、他の装置と通信を行う通信インターフェー
ス機能を備えており、制御部１１の制御の下、接続ケーブル３０で接続されている装置と
通信を行う。
【００１４】
次に表示体１２は、電気泳動素子を使用して画像表示を行う反射型の表示体である。ま
ず、表示体１２の回路構成について説明する。
図３は、表示体１２の回路構成を示した図である。図３に示したように表示体１２は、
複数のソース線（ソース電極）Ｓ１〜Ｓｍ（ｍは２以上の任意の整数）と複数のゲート線
（ゲート電極）Ｇ１〜Ｇｎ（ｎは、２以上の任意の整数）とがマトリックス状に交差する
位置に、電気泳動素子Ｐ１１〜Ｐｍｎと、保持容量ＨＣ１１〜ＨＣｍｎと、薄膜トランジ
スタＴＲ１１〜ＴＲｍｎとを有する。そして、ソース線とゲート線とが交差する各交差位
置では、電気泳動素子及び保持容量は、並列接続されており、電気泳動素子の画素電極（
画素電極ＰＥ１１〜ＰＥｍｎ）は、薄膜トランジスタのドレイン電極に接続されている。
また、電気泳動素子Ｐ１１〜Ｐｍｎに共用される共通電極ＣＥは、接地電位に接続されて
おり、薄膜トランジスタＴＲ１１〜ＴＲｍｎのゲート電極は、対応するゲート線Ｇ１〜Ｇ
ｎに接続されており、薄膜トランジスタＴＲ１１〜ＴＲｍｎのソース電極は、対応するソ
ース線Ｓ１〜Ｓｍに接続されている。
【００１５】
次に、表示体１２の構造について説明する。図４は、表示体１２の構造を模式的に示し
た図である、図４に示したように、表示体１２は、第１基板１００、電気泳動素子、バイ
ンダ１０１、第２基板１０２により構成されている。第１基板１００は、ガラス基板であ
り、表面側には画素電極が設けられている。また、第１基板１００に対向する第２基板１
０２は、透明なガラス基板であり、裏面側には共通電極ＣＥが設けられている。画素電極
と共通電極ＣＥの間には、電気泳動素子がバインダ１０１により固定されて配置されてい
る。なお、図４においては、図が繁雑になるのを防ぐために電気泳動素子についてはＰ１
１、Ｐ２１、Ｐ３１についてのみ符号を付し、画素電極については、ＰＥ１１、ＰＥ２１
、ＰＥ３１についてのみ符号を付している。
【００１６】
この構成の下、表示体１２は、従来知られた点順次駆動方式又は線順次駆動方式に基づ
いて駆動される。具体的には、電気泳動素子Ｐ１１について着目して説明すると、ゲート
線Ｇ１から印加されるゲート信号により、薄膜トランジスタＴＲ１１がオンに起動される
と共に、ソース線Ｓ１から印加される信号により電圧が保持容量ＨＣ１１に蓄積される。
そして、保持容量ＨＣ１１に規定される電圧の大きさに従って、電気泳動素子Ｐ１１の状
態は”白”又は”黒”に遷移する。
【００１７】
図５は、電気泳動素子の構造及び状態を示す断面図であり、詳細には、図５（ａ）は、
黒を表示する電気泳動素子の状態を示し、図５（ｂ）は、白を表示する電気泳動素子の状
態を示す。電気泳動素子は、図５（ａ）、（ｂ）に示されるように、マイクロカプセル化
されている。電気泳動素子は、より詳しくは、カプセル壁ＣＷとしてのポリマー膜内に、
芯物質として、プラス（＋）に帯電した黒顔料粒子ＢＧ及びマイナス（−）に帯電した白
顔料粒子ＷＧを有し、黒顔料粒子ＢＧ及び白顔料粒子ＷＧは、外部から与えられる電界に
より規定されるカプセル壁ＣＷ内での位置状態を、分散媒ＤＭにより安定的に維持される
。
【００１８】
電気泳動素子は、黒を表示しようとするときには、図５（ａ）に示されるように、保持
容量に従って裏面側から表面側への電界Ｅ１を与えられ、これを契機に、プラス（＋）に
帯電している黒顔料粒子ＢＧは、カプセル壁ＣＷ内において表面側に近付くように移動す
ると共に、マイナス（−）に帯電している白顔料粒子ＷＧは、カプセル壁ＣＷ内において
裏面側に近付くように移動する。このようにして、電気泳動素子は、表面側に黒を表示す
ることから、ユーザは、黒を認識することができる。
【００１９】
他方で、電気泳動素子は、白を表示しようとするときには、図５（ｂ）に示されるよう
に、保持容量に従って表面側から裏面側への電界Ｅ２を与えられ、これを契機として、白
顔料粒子ＷＧは、表面側に近付くように移動すると共に、黒顔料粒子ＢＧは、裏面側に近
付くように移動する。このようにして、電気泳動素子は、表面側に白を表示することから
、ユーザは、表面側に現れる白を認識することができる。
【００２０】
なお、表示体１２においては、電気泳動素子に印加される電圧だけでなく、電圧を印加
する時間を制御することによって、白と黒のコントラストを制御することができる。これ
は、帯電した顔料粒子の移動距離が電圧の印加時間に応じて変化するためである。本実施
形態においては、後述する処理によって電圧の印加時間が調整され、白と黒のコントラス
トが調整される。
【００２１】
次に制御部１１は、ＣＰＵ１１Ａ、ＲＯＭ１１Ｂ、ＲＡＭ１１Ｃ、不揮発性メモリ１１
Ｄを有しており、ＲＯＭ１１Ｂには、ＣＰＵ１１Ａにより実行される制御プログラムが記
憶されている。不揮発性メモリ１１Ｄは、電力が供給されなくとも記憶内容を保持するメ
モリであり、表示体１２に表示されるコンテンツの画像を表すコンテンツデータを記憶す
る。また、不揮発性メモリ１１Ｄは、図６に示したフォーマットのパラメータテーブルＴ
Ｂ１を記憶している。パラメータテーブルＴＢ１においては、「設定値」フィールドには
１〜５までの数値が格納されている。また、「駆動時間」フィールドにおいては、白また
は黒を表示する時に電気泳動素子に電圧を印加する時間が格納されている。なお、本実施
形態においては、パラメータテーブルＴＢ１に格納されている時間の単位は［ｍｓｅｃ］
となっている。
【００２２】
制御部１１においては、図示せぬ電源から電力が供給されるとＲＯＭ１１Ｂに記憶され
ている制御プログラムがＣＰＵ１１Ａにより実行される。ＣＰＵ１１Ａが制御プログラム
を実行すると、制御部１１によって各部が制御され、不揮発性メモリ１１Ｄに記憶されて
いるコンテンツデータが表す画像を表示体１２に表示する機能、電子ペーパ装置１０を操
作するための操作画面を表示体１２に表示する機能などの各種機能が電子ペーパ装置１０
において実現する。また、ＣＰＵ１１Ａにより制御プログラムが実行されると、スキャナ
装置２０と通信を行って電子ペーパ装置１０の画質を調整する機能が実現する。
【００２３】
（スキャナ装置２０の構成）
図７は、スキャナ装置２０のハードウェア構成を示したブロック図である。同図に示し
たように、スキャナ装置２０は、制御部２１、読取部２２、操作部２３、通信部２４を有
している。
【００２４】
操作部２３は、制御部２１に接続されており、スキャナ装置２０を操作するための各種
ボタンを有している。操作部２３のボタンが操作されると、操作されたボタンを表す信号
が制御部２１へ出力される。制御部２１は、この信号に基づいてユーザからの指示を特定
し、特定した指示に応じて各部を制御する。制御部２１に接続されている通信部２４は、
他の装置と通信を行う通信インターフェース機能を備えており、制御部２１の制御の下、
接続ケーブル３０で接続されている他の装置と通信を行う。
【００２５】
次に、読取部２２は、原稿が載せられるガラス製の原稿台と、原稿台に乗せられた原稿
を原稿台の下方から読み取る読み取り装置を有している。読取部２２は、制御部２１の制
御の下、原稿台に乗せられた原稿を読み取り装置で読み取り、読み取った原稿の画像を表
す情報を制御部２１へ出力する。
【００２６】
制御部２１は、ＣＰＵ２１Ａ、ＲＯＭ２１Ｂ、ＲＡＭ２１Ｃ、不揮発性メモリ２１Ｄを
有しており、ＲＯＭ２１Ｂには、ＣＰＵ２１Ａにより実行される制御プログラムが記憶さ
れている。不揮発性メモリ２１Ｄは、電力が供給されなくとも記憶内容を保持するメモリ
であり、各部を制御するために使用されるデータや、読取部２２で読み取った原稿の画像
を表す画像データを記憶する。
【００２７】
制御部２１においては、図示せぬ電源から電力が供給されるとＲＯＭ２１Ｂに記憶され
ている制御プログラムがＣＰＵ２１Ａにより実行される。ＣＰＵ２１Ａが制御プログラム
を実行すると、制御部２１によって各部が制御され、操作部２３においてされた操作に応
じて原稿を読み取る機能や、他の装置から通信部２４に入力された指示に応じて原稿を読
み取る機能、読み取った原稿の画像を表す画像データを通信部２４から他の装置へ出力す
る機能などの各種機能がスキャナ装置２０において実現する。
【００２８】
［実施形態の動作］
次に、電子ペーパ装置１０の画質の調整について、コントラストを例にその動作を説明
する。電子ペーパ装置１０のコントラストを調整する際には、制御部１１は、図８に示し
たフローチャートに従って、表示領域の特定（ステップＳＡ１）、コントラストの測定（
ステップＳＡ２）、駆動時間の設定（ステップＳＡ３）という順番で処理を進める。以下
、各処理を行う時の動作について説明する。
【００２９】
（表示領域の特定）
まず、ユーザは、接続ケーブル３０の一方の端部を電子ペーパ装置１０の通信部１４に
取り付け、もう一方の端部をスキャナ装置２０の通信部２４に取り付けて、電子ペーパ装
置１０とスキャナ装置２０とを接続ケーブル３０で接続する。次にユーザが、電子ペーパ
装置１０の操作部１３において、コントラストの調整を行うためのメニュー画面を表示さ
せる操作を行うと、図８に示した処理が開始され、ステップＳＡ１の処理が行われる。
具体的には、まず、図１２に例示した画面（調整の開始をユーザに知らせる画面）が表
示体１２に表示される（図９：ステップＳＢ１）。この画面を見たユーザは、表示体１２
に表示された画面がスキャナ装置２０の原稿台に対向するようにして電子ペーパ装置１０
を原稿台に載せた後、操作部１３が有するいずれかのボタンを操作する。
【００３０】
制御部１１は、操作部１３が有するいずれかのボタンが操作されると（ステップＳＢ２
；ＹＥＳ）、表示体１２を制御して表示体１２の表示領域全体を白にする（ステップＳＢ
３）。次に制御部１１は、画像の読み取りを行うように指示する読取指示メッセージを通
信部１４を制御してスキャナ装置２０へ送信する（ステップＳＢ４）。この読取指示メッ
セージがスキャナ装置２０にて受け取られると、制御部２１は、読取部２２の読み取り装
置を制御し、原稿台に載せられている電子ペーパ装置１０の表面（電子ペーパ装置１０に
おいて画像が表示されている側の面）を読み取る。読み取り装置が電子ペーパ装置２０の
表面の読み取りを終了すると、制御部２１は、白を表示した電子ペーパ装置２０の表面の
画像（画像Ｇ１）を表す画像データを生成し、画像データを通信部２４を制御して電子ペ
ーパ装置１０へ送信する。
【００３１】
この画像データが電子ペーパ装置１０にて受け取られると（ステップＳＢ５；ＹＥＳ）
、制御部１１は、受け取った画像データをＲＡＭ１１Ｃに記憶させる（ステップＳＢ６）
。次に、制御部１１は、表示体１２を制御して表示体１２の表示領域全体を黒にした後（
ステップＳＢ７）、読取指示メッセージを通信部１４を制御してスキャナ装置２０へ送信
する（ステップＳＢ８）。この読取指示メッセージがスキャナ装置２０にて受け取られる
と、制御部２１は、原稿台に載せられている電子ペーパ装置１０の表面を読み取り、この
黒を表示した表面の画像（画像Ｇ２）を表す画像データを生成し、画像データを通信部２
４を制御して電子ペーパ装置１０へ送信する。この画像データが電子ペーパ装置１０にて
受け取られると（ステップＳＢ９；ＹＥＳ）、制御部１１は、受け取った画像データをＲ
ＡＭ１１Ｃに記憶させる（ステップＳＢ１０）。
【００３２】
制御部１１は、白を表示した時の表面の画像Ｇ１の画像データと、黒を表示した時の表
面の画像Ｇ２の画像データとを記憶すると、スキャナ装置２０から受け取る画像データが
表す画像中において、表示体１２の表示領域の位置を特定する（ステップＳＢ１１）。具
体的には、まず、図１３（ａ）は、画像Ｇ１を模式的に示した図であり、図１３（ｂ）は
、画像Ｇ２を模式的に示した図である。図１３（ａ）と図１３（ｂ）において、領域Ａ１
は、電子ペーパ装置１０の筐体部分の画像である。また、図１３（ａ）において、領域Ａ
２は、表示体１２において白とされた表示領域の画像であり、図１３（ｂ）において、黒
で示されている領域Ａ３は、表示体１２において黒とされた表示領域の画像である。制御
部１１は、画像中における表示領域の位置を特定する際、画像Ｇ２と画像Ｇ１との差分を
とる。画像Ｇ１における領域Ａ１の画像と、画像Ｇ２における領域Ａ１の画像とは同じ筐
体の画像であって差が無いため、差分をとって得られた画像Ｇ３中においては、図１３（
ｃ）に示したように、表示領域Ａ４の像（図１３（ｃ）においてハッチングがされている
領域）が残って表示領域の位置が特定される。制御部１１は、画像Ｇ３を得ると、この得
られた画像Ｇ３を表す画像データを不揮発性メモリ１１Ｄに記憶させる。
【００３３】
（コントラストの測定）
制御部１１は、図８のステップＳＡ１の処理が終了すると、次に表示体１２に表示され
る画像のコントラストの測定を行う（ステップＳＡ２）。具体的には、まず制御部１１は
、変数ｎの値を初期化してｎの値を１に設定する（図１０：ステップＳＣ１）。次に制御
部１１は、変数ｎの値と同じ値の設定値に対応付けて格納されている駆動時間をパラメー
タテーブルＴＢ１から読み出す（ステップＳＣ２）。ここで、変数ｎの値は「１」である
ため、設定値「１」に対応付けられてパラメータテーブルＴＢ１に格納されている駆動時
間「１００ｍｓｅｃ」が読み出される。
【００３４】
制御部１１は、駆動時間を読み出すと、表示体１２を制御して表示体１２の表示領域を
白にする（ステップＳＣ３）。ここで、制御部１１は、白を表示するために電圧を印加す
る時間を、パラメータテーブルＴＢ１から読み出した駆動時間である１００ｍｓｅｃとす
る。次に制御部１１は、画像の読み取りを行うように指示する読取指示メッセージを通信
部１４を制御してスキャナ装置２０へ送信する（ステップＳＣ４）。この読取指示メッセ
ージがスキャナ装置２０にて受け取られると、制御部２１は、原稿台に載せられている電
子ペーパ装置１０の表面を読み取り、この白を表示した表面の画像を表す画像データを生
成し、画像データを通信部２４を制御して電子ペーパ装置１０へ送信する。
【００３５】
この画像データが電子ペーパ装置１０にて受け取られると（ステップＳＣ５；ＹＥＳ）
、制御部１１は、表示体１２の表示領域の画像を、受け取った画像データが表す画像中に
おいて特定する（ステップＳＣ６）。具体的には、受け取った画像中において、不揮発性
メモリ１１Ｄに記憶した画像Ｇ３にある表示領域Ａ４の像と同じ位置にある像を表示領域
の画像として特定する。制御部１１は、受け取った画像データが表す画像中において表示
領域を特定すると、この領域内の画像の濃度（白画像の濃度Ｒｗ）を画像データが表す画
像を解析して求め、得られた濃度ＲｗをＲＡＭ１１Ｃに記憶させる（ステップＳＣ７）。
【００３６】
次に制御部１１は、表示体１２を制御して表示体１２の表示領域を黒にする（ステップ
ＳＣ８）。ここでも制御部１１は、黒を表示するために電圧を印加する時間を、パラメー
タテーブルＴＢ１から読み出した時間である１００ｍｓｅｃとする。そして、制御部１１
は、表示領域を白にした時と同様にして読取指示メッセージをスキャナ装置２０へ送信し
（ステップＳＣ９）、黒を表示した時の電子ペーパ装置１０の表面の画像を表す画像デー
タを受け取る。制御部１１は、画像データを受け取ると（ステップＳＣ１０；ＹＥＳ）、
表示体１２の表示領域の画像を、受け取った画像データが表す画像中においてステップＳ
Ｃ６と同様にして特定する（ステップＳＣ１１）。そして、制御部１１は、受け取った画
像データが表す画像中において表示領域を特定すると、この領域内の画像の濃度（黒画像
の濃度Ｒｂ）を画像データが表す画像を解析して求め、得られた濃度ＲｂをＲＡＭ１１Ｃ
に記憶させる（ステップＳＣ１２）。
【００３７】
制御部１１は、濃度Ｒｗと濃度Ｒｂとを得ると、濃度Ｒｗの値を濃度Ｒｂの値で除算し
、白画像と黒画像とのコントラスト値を求める（ステップＳＣ１３）。そして制御部１１
は、得られたコントラスト値と、ステップＳＣ２で読み出した駆動時間とを対応付けてＲ
ＡＭ１１Ｃに記憶させる（ステップＳＣ１４）。
【００３８】
次に制御部１１は、変数ｎの値に１を加算した後（ステップＳＣ１５）、変数ｎの値が
パラメータテーブルＴＢ１に格納されている駆動時間の数ｍを超えているか判定する（ス
テップＳＣ１６）。制御部１１は、ステップＳＣ１６でＮＯと判断すると、処理の流れを
ステップＳＣ２へ戻す。制御部１１は、ステップＳＣ２へ処理の流れを戻すと、変数ｎの
値が「１」の時と同様にしてステップＳＣ２〜ＳＣ１４の処理を行い、駆動時間を「１２
０ｍｓｅｃ」とした時の白画像と黒画像とのコントラスト値を求め、得られたコントラス
ト値と、駆動時間とを対応付けてＲＡＭ１１Ｃに記憶させる。
【００３９】
この後、制御部１１は、変数ｎの値がパラメータテーブルＴＢ１に格納されている駆動
時間の数を超えるまでステップＳＣ２〜ＳＣ１６の処理を繰り返し、駆動時間を変化させ
る毎にコントラスト値を求めてＲＡＭ１１Ｃに記憶させる。
【００４０】
（駆動時間の設定）
制御部１１は、図８のステップＳＡ２の処理が終了すると、表示を行う際に電気泳動素
子に電圧を印加する時間を決定する（ステップＳＡ３）。具体的には、まず制御部１１は
、ステップＳＣ１４の処理で駆動時間に対応付けて記憶した各コントラスト値を比較し、
コントラスト値の中で最大の値を特定する（図１１：ステップＳＤ１）。そして、特定し
た最大値に対応付けてＲＡＭ１１Ｃに記憶されている駆動時間を、表示を行う際に電気泳
動素子に電圧を印加する時間として設定し（ステップＳＤ２）、設定した駆動時間を不揮
発性メモリ１１Ｄに記憶させる（ステップＳＤ３）。なお、駆動時間に対応付けて記憶さ
れたコントラスト値において、駆動時間が異なってもコントラスト値が同じであり、この
コントラスト値が最大である場合（最大値が複数ある場合）、最大値のコントラスト値に
対応付けて記憶されている駆動時間のうち時間が短い駆動時間を、表示を行う際に電気泳
動素子に電圧を印加する時間として決定する。
【００４１】
制御部１１は、ステップＳＤ３の処理を終えると、コントラストの調整処理を終了する
。以後、電子ペーパ装置１０は、画像を表示するために電気泳動素子に電圧を印加する際
には、電圧の印加時間をステップＳＤ３で記憶した駆動時間にして電圧を印加する。
【００４２】
以上説明したように、本実施形態によれば、ユーザが調整開始時にボタンを操作するだ
けで、電子ペーパ装置１０とスキャナ装置２０とによりコントラストの調整が行われるの
で、ユーザに煩雑な操作を行わせることなく、コントラストが調整される。
【００４３】
［第２実施形態］
上述した実施形態においては、電子ペーパ装置１０がスキャナ装置２０と通信を行い、
画質の調整を行っているが、パーソナルコンピュータ装置を使用して画質の調整を行うよ
うにしてもよい。図１４は、この態様で使用される装置と、各装置の接続を示した図であ
る。パーソナルコンピュータ装置４０（以下、ＰＣ４０とする）は、所謂ＰＣ／ＡＴ互換
機と呼ばれるコンピュータ装置である。ＰＣ４０（端末装置）は、電子ペーパ装置１０の
画質を調整する機能を実現する調整プログラムを記憶しており、接続ケーブルにより電子
ペーパ装置１０とスキャナ装置２０に接続される。また、ＰＣ４０は、調整プログラムと
ともにパラメータテーブルＴＢ１を記憶している。
【００４４】
図１５〜１７は、この態様においてコントラストを調整する時の動作を説明するための
シーケンス図である。まず、ＰＣ４０において、調整プログラムが実行されると、図１２
に例示した画面がＰＣ４０のディスプレイに表示される（Ｓ１）。この画面を見たユーザ
は、表示体１２の表示面がスキャナ装置２０の原稿台に対向するようにして電子ペーパ装
置１０を原稿台に載せた後、ＰＣ４０のキーボードのいずれかのボタンを操作する（Ｓ２
）。
【００４５】
ＰＣ４０は、キーボードのボタンが操作されると、白の画像を表示するように指示する
表示指示メッセージを電子ペーパ装置１０へ送信する（Ｓ３）。電子ペーパ装置１０は、
このメッセージを受信すると、表示体１２を制御して表示体１２の表示領域全体を白にす
る（Ｓ４）。次にＰＣ４０は、画像の読み取りを行うように指示する読取指示メッセージ
をスキャナ装置２０へ送信する（Ｓ５）。この読取指示メッセージがスキャナ装置２０に
て受け取られると、制御部２１は、読取部２２の読み取り装置を制御し、原稿台に載せら
れている電子ペーパ装置１０の表面を読み取る（Ｓ６）。読み取り装置が電子ペーパ装置
２０の表面の読み取りを終了すると、制御部２１は、白を表示した電子ペーパ装置２０の
表面の画像（画像Ｇ１）を表す画像データを生成し（Ｓ７）、画像データを通信部２４を
制御してＰＣ４０へ送信する（Ｓ８）。この画像データがＰＣ４０にて受け取られると、
ＰＣ４０は、受け取った画像データを記憶する（Ｓ９）。
【００４６】
次に、ＰＣ４０は、黒の画像を表示するように指示する表示指示メッセージを電子ペー
パ装置１０へ送信する（Ｓ１０）。電子ペーパ装置１０は、このメッセージを受信すると
、表示体１２を制御して表示体１２の表示領域全体を黒にする（Ｓ１１）。次にＰＣ４０
は、画像の読み取りを行うように指示する読取指示メッセージをスキャナ装置２０へ送信
する（Ｓ１２）。この読取指示メッセージがスキャナ装置２０にて受け取られると、制御
部２１は、読取部２２の読み取り装置を制御し、原稿台に載せられている電子ペーパ装置
１０の表面を読み取る（Ｓ１３）。読み取り装置が電子ペーパ装置２０の表面の読み取り
を終了すると、制御部２１は、黒を表示した電子ペーパ装置２０の表面の画像（画像Ｇ２
）を表す画像データを生成し（Ｓ１４）、画像データを通信部２４を制御してＰＣ４０へ
送信する（Ｓ１５）。この画像データがＰＣ４０にて受け取られると、ＰＣ４０は、受け
取った画像データを記憶する（Ｓ１６）。
【００４７】
ＰＣ４０は、白を表示した時の表面の画像Ｇ１の画像データと、黒を表示した時の表面
の画像Ｇ２の画像データとを記憶すると、スキャナ装置２０から受け取る画像データが表
す画像中において、上述した実施形態と同様にして表示体１２の表示領域の位置を特定す
る。そして、ＰＣ４０は、表示領域の画像Ｇ３を得ると、この得られた画像Ｇ３を表す画
像データを記憶する（Ｓ１７）。
【００４８】
ＰＣ４０は、表示位置を特定すると、次に表示体１２に表示される画像のコントラスト
の測定を行う。具体的には、まずＰＣ４０は、変数ｎの値を初期化してｎの値を１に設定
する（Ｓ１８）。次にＰＣ４０は、変数ｎの値と同じ値の設定値に対応付けて格納されて
いる駆動時間をパラメータテーブルＴＢ１から読み出す（Ｓ１９）。
【００４９】
ＰＣ４０は、駆動時間を読み出すと、読み出した駆動時間と、白の表示を指示する表示
指示メッセージを電子ペーパ装置１０へ送信する（Ｓ２０）。電子ペーパ装置１０は、駆
動時間と表示指示メッセージとを受信すると、白を表示するために電圧を印加する時間を
、受信した駆動時間とし、表示体１２の表示領域全体を白にする（Ｓ２１）。そして、表
示体１２の表示領域が白にされると、ＰＣ４０は、読取指示メッセージを通信部１４を制
御してスキャナ装置２０へ送信する（Ｓ２２）。この読取指示メッセージがスキャナ装置
２０にて受け取られると、制御部２１は、原稿台に載せられている電子ペーパ装置１０の
表面を読み取り（Ｓ２３）、この白を表示した表面の画像を表す画像データを生成し（Ｓ
２４）、画像データを通信部２４を制御してＰＣ４０へ送信する（Ｓ２５）。
【００５０】
この画像データがＰＣ４０にて受け取られると、ＰＣ４０は、表示体１２の表示領域の
画像を、受け取った画像データが表す画像中において特定する（Ｓ２６）。具体的には、
受け取った画像中において、記憶した画像Ｇ３にある表示領域Ａ４の像と同じ位置にある
像を表示領域の画像として特定する。ＰＣ４０は、受け取った画像データが表す画像中に
おいて表示領域を特定すると、この領域内の画像の濃度（白画像の濃度Ｒｗ）を画像デー
タが表す画像を解析して求め、得られた濃度Ｒｗを記憶する（Ｓ２７）。
【００５１】
次にＰＣ４０は、黒の表示を指示する表示指示メッセージを電子ペーパ装置１０へ送信
する（Ｓ２８）。電子ペーパ装置１０は、表示指示メッセージを受信すると、黒を表示す
るために電圧を印加する時間を、Ｓ２１で設定した駆動時間とし、表示体１２の表示領域
全体を黒にする（Ｓ２９）。そして、表示体１２の表示領域が黒にされると、ＰＣ４０は
、読取指示メッセージを通信部１４を制御してスキャナ装置２０へ送信する（Ｓ３０）。
この読取指示メッセージがスキャナ装置２０にて受け取られると、制御部２１は、原稿台
に載せられている電子ペーパ装置１０の表面を読み取り（Ｓ３１）、この黒を表示した表
面の画像を表す画像データを生成し（Ｓ３２）、画像データを通信部２４を制御してＰＣ
４０へ送信する（Ｓ３３）。この画像データがＰＣ４０にて受け取られると、ＰＣ４０は
、表示体１２の表示領域の画像を、受け取った画像データが表す画像中において特定する
（Ｓ３４）。ＰＣ４０は、受け取った画像データが表す画像中において表示領域を特定す
ると、この領域内の画像の濃度（黒画像の濃度Ｒｂ）を画像データが表す画像を解析して
求め、得られた濃度Ｒｂを記憶する（Ｓ３５）。
【００５２】
ＰＣ４０は、濃度Ｒｗと濃度Ｒｂとを得ると、濃度Ｒｗの値を濃度Ｒｂの値で除算し、
白画像と黒画像とのコントラスト値を求める（Ｓ３６）。そしてＰＣ４０は、得られたコ
ントラスト値と、Ｓ２０で読み出した駆動時間とを対応付けて記憶する（Ｓ３７）。
【００５３】
次にＰＣ４０は、変数ｎの値に１を加算した後、変数ｎの値がパラメータテーブルＴＢ
１に格納されている駆動時間の数ｍを超えているか判定する。ＰＣ４０は、変数ｎの値が
駆動時間の数ｍを超えていない場合には、変数ｎの値が「１」の時と同様にしてＳ２０〜
Ｓ３７の処理を行い、白画像と黒画像とのコントラスト値を求め、得られたコントラスト
値と、駆動時間とを対応付けて記憶する。
【００５４】
この後、ＰＣ４０は、変数ｎの値がパラメータテーブルＴＢ１に格納されている駆動時
間の数を超えるまでＳ２０〜Ｓ３７の処理を繰り返し、駆動時間を変化させる毎にコント
ラスト値を求めて記憶する。
【００５５】
ＰＣ４０は、コントラストの測定処理が終了すると、表示を行う際に電気泳動素子に電
圧を印加する時間を決定する。具体的には、まずＰＣ４０は、駆動時間に対応付けて記憶
した各コントラスト値を比較し、コントラスト値の中で最大の値を特定する（Ｓ３８）。
そして、特定した最大値に対応付けて記憶されている駆動時間を、表示を行う際に電気泳
動素子に電圧を印加する時間として設定し（Ｓ３９）、設定した駆動時間を電子ペーパ装
置１０へ送信する（Ｓ４０）。電子ペーパ装置１０は、この駆動時間を受信すると、受信
した駆動時間を不揮発性メモリ１１Ｄに記憶させる（Ｓ４１）。電子ペーパ装置１０は、
駆動時間を記憶すると、以後、画像を表示するために電気泳動素子に電圧を印加する際に
は、電圧の印加時間をＳ４１で記憶した駆動時間にして電圧を印加する。
【００５６】
このように本実施形態でも、ユーザが調整開始時にボタンを操作するだけで、電子ペー
パ装置１０、スキャナ装置２０およびＰＣ４０によりコントラストの調整が行われるので
、ユーザに煩雑な操作を行わせることなく、コントラストが調整される。
【００５７】
［変形例］
以上、本発明の実施形態について説明したが、本発明は上述した実施形態に限定される
ことなく、他の様々な形態で実施可能である。例えば、上述の実施形態を以下のように変
形して本発明を実施してもよい。
【００５８】
上述した実施形態においては、電子ペーパ装置１０とＰＣ４０とを通信ネットワークに
接続可能としてもよい。そして、電子ペーパ装置１０またはＰＣ４０に送信された画像デ
ータを、通信ネットワークに接続されたサーバ装置へ送信し、画像データをサーバ装置に
記憶させるようにしてもよい。また、画像データだけでなく、電子ペーパ装置１０または
ＰＣ４０で設定された駆動時間をサーバ装置へ送信し、駆動時間をサーバ装置に記憶させ
るようにしてもよい。また、画像データや駆動時間をサーバ装置に記憶させる際には、電
子ペーパ装置１０を一意に識別する識別番号と対応付けて記憶したり、電子ペーパ装置１
０のユーザの氏名と対応付けて記憶したりするようにしてもよい。
【００５９】
スキャナ装置２０は、様々な機種があり、機種によって性能が異なる。電子ペーパ装置
２０またはＰＣ４０は、スキャナ装置２０の性能を表す情報またはスキャナの種別を表す
情報をスキャナ装置２０から取得し、取得した情報を解析してスキャナ装置２０が所定の
性能を満たしているか否か判断し、所定の性能を満たしていない場合には、画質の調整処
理を行わないようにしてもよい。
【００６０】
上述した実施形態においては、表示領域を複数の領域に分割し、各領域毎にコントラス
トを求め、各領域毎に駆動時間を設定するようにしてもよい。
具体的には、例えば表示領域を３つの領域Ａ１１〜Ａ１３に分割する。そして、電子ペ
ーパ装置１０は、図１０に示した処理を行う際、ステップＳＣ７とステップＳＣ１２にお
いては、領域Ａ１１〜Ａ１３毎に白の濃度と黒の濃度を求める。電子ペーパ装置１０は、
ステップＳＣ１３においては、領域Ａ１１〜Ａ１３毎にコントラスト値を求め、ステップ
ＳＣ１４において、求めたコントラスト値と駆動時間とを対応付けて図１８に示したよう
に領域毎に記憶する。
電子ペーパ装置１０は、駆動時間を変化させてコントラスト値を求め、ステップＳＡ２
の処理が終了すると、駆動時間の設定を行う。ここで、領域Ａ１１においては駆動時間「
１８０ｍｓｅｃ」に対応付けられているコントラスト値が最大であり、領域Ａ１２と領域
Ａ１３においては駆動時間「１６０ｍｓｅｃ」に対応付けられているコントラスト値が最
大である場合、電子ペーパ装置２０は、領域Ａ１１の駆動時間を「１８０ｍｓｅｃ」とし
、領域Ａ１２，Ａ１３の駆動時間を「１６０ｍｓｅｃ」に設定する。この態様によれば、
表示体１２において画像にムラが発生するのを抑えることができる。
【００６１】
上述した実施形態においては、スキャナ装置２０から受信した画像データを解析してコ
ントラスト以外のパラメータを調整するようにしてもよい。
また、上述した実施形態においては、表示体１２は、カラーの画像を表示する装置であ
ってもよい。この場合、Ｒ（Ｒｅｄ）、Ｇ（Ｇｒｅｅｎ）、Ｂ（Ｂｌｕｅ）の色毎に画像
を表示し、スキャナ装置２０で画像を読み取り、読み取った画像を解析して画像を表示す
るためのパラメータを設定してもよい。
【００６２】
上述した実施形態においては、各装置間は接続ケーブルを介さず無線通信により通信を
行ってもよい。
また、上述した実施形態においては、画像データが表す画像の濃度から反射率を求め、
求めた反射率からコントラストを求めてもよい。
【００６３】
上述した実施形態においては、表示体１２はマイクロカプセルを用いた電気泳動方式の
ものに限定されない。表示体１２は、液晶を用いたものであってもよいし、ＥＬ（electr
o-luminescence）素子を用いたものであってもよい。そして、これらの表示素子を用いた
ものにおいても、スキャナ装置２０で画像を読み取り、読み取った画像を解析して、画像
を表示するための駆動パラメータを、電子ペーパ装置１０またはＰＣ４０で設定するよう
にしてもよい。
また、上述した実施形態においては、スキャナ装置２０はフラットベッド型のものとな
っているが、スキャナ装置２０はフラットベッド型のものに限定されることはない。電子
ペーパ装置１０の表示領域を読み取れるものであれば、他のタイプのスキャナ装置であっ
てもよい。
【図面の簡単な説明】
【００６４】
【図１】本発明の一実施形態に係る装置を模式的に示した図である。
【図２】電子ペーパ装置１０のハードウェア構成を示したブロック図である。
【図３】表示体１２の回路構成を示した図である。
【図４】表示体１２の構造を模式的に示した図である。
【図５】電気泳動素子の構造及び状態を示した図である。
【図６】パラメータテーブルＴＢ１のフォーマットを例示した図である。
【図７】スキャナ装置２０のハードウェア構成を示したブロック図である。
【図８】制御部１１が行う処理の流れを示したフローチャートである。
【図９】制御部１１が行う処理の流れを示したフローチャートである。
【図１０】制御部１１が行う処理の流れを示したフローチャートである。
【図１１】制御部１１が行う処理の流れを示したフローチャートである。
【図１２】表示体１２に表示される画面を例示した図である。
【図１３】画像データが表す画像を模式的に示した図である。
【図１４】本発明の第２実施形態に係る装置を示した図である。
【図１５】第２実施形態の動作を説明するためのシーケンス図である。
【図１６】第２実施形態の動作を説明するためのシーケンス図である。
【図１７】第２実施形態の動作を説明するためのシーケンス図である。
【図１８】変形例において記憶される駆動時間とコントラスト値を示した図である。
【符号の説明】
【００６５】
１０・・・電子ペーパ装置、２０・・・スキャナ装置、３０・・・接続ケーブル、４０・
・・パーソナルコンピュータ装置（ＰＣ）、１１・・・制御部、１１Ａ・・・ＣＰＵ、１
１Ｂ・・・ＲＯＭ、１１Ｃ・・・ＲＡＭ、１１Ｄ・・・不揮発性メモリ、１２・・・表示
体、１３・・・操作部、１４・・・通信部、２１・・・制御部、２１Ａ・・・ＣＰＵ、２
１Ｂ・・・ＲＯＭ、２１Ｃ・・・ＲＡＭ、２１Ｄ・・・不揮発性メモリ、２２・・・読取
部、２３・・・操作部、２４・・・通信部
【図１】
2008304666.tif 000003
【図２】
2008304666.tif 000004
【図３】
2008304666.tif 000005
【図４】
2008304666.tif 000006
【図５】
2008304666.tif 000007
【図６】
2008304666.tif 000008
【図７】
2008304666.tif 000009
【図８】
2008304666.tif 000010
【図９】
2008304666.tif 000011
【図１０】
2008304666.tif 000012
【図１１】
2008304666.tif 000013
【図１２】
2008304666.tif 000014
【図１３】
2008304666.tif 000015
【図１４】
2008304666.tif 000016
【図１５】
2008304666.tif 000017
【図１６】
2008304666.tif 000018
【図１７】
2008304666.tif 000019
【図１８】
2008304666.tif 000020